(57)【要約】【課題】  多機能を実現できる幌を備えた育児器具を提供する。【解決手段】  育児器具は、座席の上部を覆う幌１を備える。幌１は、育児器具本体に固定される取付基部２と、その下端部が取付基部２に回動可能に連結された第１幌骨３と、第１幌骨３の内側に位置し、その下端部が取付基部２に回動可能に連結された第２幌骨４と、第２幌骨４の内側に位置する第３幌骨５と、第１幌骨３に取付けられて前後方向に延在する第１幌シート１０と、第２幌骨４に取付けられ、第１幌シート１０の内側に重なって前後方向に延在する第２幌シート３０とを備える。第２幌シート３０は、前後方向の一方端３４が第１幌シート１０から分離され、他方端３７が第１幌シート１０に接続されている。【選択図】      図４
2005329902.tif 000002
【特許請求の範囲】
【請求項１】
育児器具の座席の上部を覆う幌を備え、
前記幌は、
育児器具本体に固定される取付基部と、
その下端部が前記取付基部に回動可能に連結された第１幌骨と、
前記第１幌骨の内側に位置し、その下端部が前記取付基部に回動可能に連結された第２幌骨と、
前記第１幌骨に取付けられて前後方向に延在する第１幌シートと、
前記第２幌骨に取付けられ、前記第１幌シートの内側に重なって前後方向に延在する第２幌シートとを備え、
前記第２幌シートは、前後方向の一方端が前記第１幌シートから分離され、他方端が前記第１幌シートに接続されている、幌を備えた育児器具。
【請求項２】
前記第２幌骨の内側に第３幌骨を備え、
前記第２幌シートは、前記第２幌骨と第３幌骨との間に位置する領域と、前記第３幌骨を越えて延在する領域とを含み、
前記第１幌シートは、前記第１幌骨と前記第２幌骨との間に位置する領域と、前記第２幌骨と前記第３幌骨との間に位置する領域と、前記第３幌骨を越えて延在する領域とを含む、請求項１に記載の幌を備えた育児器具。
【請求項３】
前記第３幌骨は、育児器具の本体フレームの一部によって形成されている、請求項１または２に記載の幌を備えた育児器具。
【請求項４】
前記第３幌骨は、座席の背もたれ部を支持するＵ字状フレームである、請求項３に記載の幌を備えた育児器具。
【請求項５】
前記第１幌シートは、前記第２幌シートに比べて、遮光性に優れた素材から形成され、
前記第２幌シートは、前記第１幌シートに比べて、通気性に優れた素材から形成されている、請求項１〜４のいずれかに記載の幌を備えた育児器具。
【請求項６】
前記第１幌シートは、厚手の布地で形成され、
前記第２幌シートは、メッシュ地で形成されている、請求項１〜５のいずれかに記載の幌を備えた育児器具。
【請求項７】
前記第１幌シートは、前後方向の途中位置において幅方向のほぼ全長に延びる分離線を起点として前後に分離可能であり、かつ分離された部分が前方および後方に折り返し可能に設けられている、請求項１〜６のいずれかに記載の幌を備えた育児器具。
【請求項８】
前記分離線には、スライドファスナーが設けられている、請求項７に記載の幌を備えた育児器具。
【発明の詳細な説明】
【技術分野】
【０００１】
この発明は、乳母車、ベビーラック、ベビーベッド、育児椅子等の座席を備えた育児器具に関し、特に座席の上部を覆う幌を備えた育児器具に関するものである。
【背景技術】
【０００２】
従来より、乳母車等の育児器具の座席上に、日除けのための幌を取付けることが知られている。多くの場合、幌のシートは、日差しや風を遮断するために、全体にわたって気密性の高い布材等から作られている。そのため、座席内の空気が淀み、乳幼児に対して不快感を与えることがある。このような傾向は、座席の上部をすっぽりと包むドーム形状の幌の場合に顕著である。
【０００３】
特開２００３−１９９６２号公報（特許文献１）は、日差しや風を適切に遮断すると共に、通気性を確保することができる幌装置を開示している。この公報に開示された幌装置は、基部に回動自在に設けられた複数の枠体と、各枠体間に掛け渡された幌シートとを備える。所望の隣接する枠体間の幌シートはメッシュ材からなり、このメッシュ材の両端部は互いに着脱自在となっている。このような幌装置であれば、必要に応じてメッシュ材の幌シートを露出するようにすれば、座席内の通気性をある程度確保できる。
【０００４】
実公平７−１９９４８号公報（特許文献２）は、幌の内側に風防フードを設けた乳母車を開示している。幌のシートは、座席の上部および後部を覆うドーム形状を有しており、座席の前方部は大きく開放されている。風防フードは、幼児の視界を妨げない透明な合成樹脂フィルム等からなり、幌シートの内側で回動可能に設けられている。このような幌装置であれば、通気性が必要とされる場合に、風防フードを幌シートに重なる後退位置にもたらし、一方、風が座席内に入り込むのを防止する時には、風防フードを幌シートに覆われていない座席前方位置にもたらす。
【特許文献１】特開２００３−１９９６２号公報
【特許文献２】実公平７−１９９４８号公報
【発明の開示】
【発明が解決しようとする課題】
【０００５】
特開２００３−１９９６２号公報は、本来の日除けの機能に加えて、通気性を確保できる幌を開示している。また、実公平７−１９９４８号公報は、本来の日除けの機能に加えて、防風効果の高い幌を開示している。
【０００６】
本願発明者は、座席内の乳幼児に対して快適な環境を与えるには、上記のような幌の機能だけでは不十分であると認識している。本願発明者は、育児器具の幌に対して、次の機能を持たせることを検討した。
【０００７】
（１）紫外線遮断効果
（２）騒音遮断効果
（３）防寒効果
（４）防風効果
（５）防塵効果
（６）通気性
（７）母親から見た良好な視界
（８）乳幼児から見た良好な視界
（９）座席内の明るさ調整
本願発明の目的は、上記のような多機能を実現できる幌を備えた育児器具を提供することである。
【課題を解決するための手段】
【０００８】
この発明に従った育児器具は、座席の上部を覆う幌を備える。幌は、育児器具本体に固定される取付基部と、その下端部が取付基部に回動可能に連結された第１幌骨と、第１幌骨の内側に位置し、その下端部が取付基部に回動可能に連結された第２幌骨と、第１幌骨に取付けられて前後方向に延在する第１幌シートと、第２幌骨に取付けられ、第１幌シートの内側に重なって前後方向に延在する第２幌シートとを備える。第２幌シートは、前後方向の一方端が第１幌シートから分離され、他方端が第１幌シートに接続されている。
【０００９】
上記構成の育児器具によれば、第１幌シートと第２幌シートとが重なって設けられているので、外側に位置する第１幌シートの広がりを適宜調節することにより、内側に位置する第２幌シートを適度な大きさ、および形状で露出させることができる。
【００１０】
好ましくは、育児器具は、第２幌骨の内側に第３幌骨を備える。この場合、第２幌シートは、第２幌骨と第３幌骨との間に位置する領域と、第３幌骨を越えて延在する領域とを含む。また、第１幌シートは、第１幌骨と第２幌骨との間に位置する領域と、第２幌骨と第３幌骨との間に位置する領域と、第３幌骨を越えて延在する領域とを含む。このような構成であれば、第１幌シートおよび第２幌シートは、大きな面積で座席の上部を覆うようになるので、乳幼児に対してより快適な環境を与えることができる。
【００１１】
一つの実施形態では、上記の第３幌骨は、育児器具の本体フレームの一部によって形成されている。より具体的には、第３幌骨は、座席の背もたれ部を支持するＵ字状フレームである。
【００１２】
好ましくは、第１幌シートは、第２幌シートに比べて、遮光性に優れた素材から形成される。一方、第２幌シートは、第１幌シートに比べて、通気性に優れた素材から形成されている。このような構成であれば、外側に位置する第１幌シートを大きく開いて第１幌シートによる覆い面積を大きくすることにより優れた紫外線遮断効果を発揮できる。一方、外側に位置する第１幌シートを適当な方向に畳んで第１幌シートによる覆い面積を小さくし、第２幌シートの露出面積を大きくすれば、優れた通気性を発揮できる。
【００１３】
例えば、第１幌シートは、厚手の布地で形成され、第２幌シートは、メッシュ地で形成されている。紫外線遮断効果、騒音効果、防寒効果、防風効果、防塵効果等を得ようとする場合には、外側の第１幌シートを大きく開いて第１幌シートによる覆い面積を大きくする。一方、通気性、母親から見た良好な視界、乳幼児から見た良好な視界を得ようとする場合には、外側の第１幌シートを適当な方向に畳んで第１幌シートによる覆い面積を小さくし、メッシュ地の第２幌シートの露出面積を大きくする。
【００１４】
メッシュ地からなる第２幌シートの目の粗さを細かくすれば、通気性を確保しながらある程度の遮光性を発揮できるようになる。生後間もない乳幼児は視覚機能が十分に発達していないので、明るすぎる雰囲気はあまり好ましくないと考えられている。例えば、天気の良い日に乳幼児を乳母車に乗せて散歩をする場合に、第１幌シートを小さな覆い面積となるように畳み、第２幌シートで座席全体を覆うようにすれば、明るさを抑えながら良好な通気性を確保できる。
【００１５】
好ましい実施形態では、第１幌シートは、前後方向の途中位置において幅方向のほぼ全長に延びる分離線を起点として前後に分離可能であり、かつ分離された部分が前方および後方に折り返し可能に設けられている。分離線には、例えば、スライドファスナーが設けられている。このような構成であれば、部分的に第２幌シートを露出させることができるので、非常に便利なものとなる。
【発明を実施するための最良の形態】
【００１６】
この発明が適用されるべき育児器具としては、乳母車、ベビーラック、ベビーベッド、育児椅子等があるが、以下の説明では、乳母車を例示的に説明する。
【００１７】
図１、図３および図４は、乳母車の車体に取付けられる幌を示し、図２は幌骨を示している。また、図５〜図１０は、幌の種々の使用形態を示している。先ず、図１〜図４を参照して、乳母車の幌の全体構造を説明する。
【００１８】
図示する幌１は、乳母車の座席の上部を覆うものであり、ドーム形状を有している。幌１は、乳母車の車体に固定される１対の取付基部２と、その下端部が１対の取付基部２に回動可能に連結されたＵ字形状の第１幌骨３と、第１幌骨３の内側に位置し、その下端部が１対の取付基部２に回動可能に連結されたＵ字形状の第２幌骨４と、第２幌骨４の内側に位置するＵ字形状の第３幌骨５とを備える。第３幌骨５は、図示した実施形態では、取付基部２に連結されているのではなく、乳母車の車体フレームの一部によって形成されている。具体的には、第３幌骨５は、乳母車の座席の背もたれ部を支持するＵ字状フレームである。他の実施形態として、第３幌骨５を、乳母車の車体フレームの一部で形成するのではなく、その下端部を取付基部２に固定または回動可能に連結するようにしてもよい。
【００１９】
図２に示す状態では、第１幌骨３および第２幌骨４は、それぞれ、その回動範囲の中で最も前方の位置にある状態を示している。この第１幌骨３は、第２幌骨４および第３幌骨５を通過してさらに後方の位置にまで回動し得る。第２幌骨４は、第３幌骨５を通過してさらに後方の位置にまで回動し得る。
【００２０】
図３および図４から明らかなように、幌１は、第１幌骨３に取付けられて前後方向に延在する第１幌シート１０と、第２幌骨４に取付けられて前後方向に延在する第２幌シート３０とを備える。第２幌シート３０は、第１幌シート１０の内側に重なって位置する。
【００２１】
第２幌シート３０は、第２幌骨４の前方に位置する前方領域３１と、第２幌骨４と第３幌骨５との間に位置する中間領域３２と、第３幌骨５を越えて後方に位置する後方領域３３とを含む。第２幌シート３０は、第１幌シート１０に比べて通気性に優れた素材、例えばメッシュ地から形成されている。図３に示すように、メッシュ地からなる第２幌シート３０は、その前方端の位置、第２幌骨４に沿う位置、第３幌骨５に沿う位置、および後方端の位置にそれぞれ補強帯３４、３５、３６および３７を有している。
【００２２】
第１幌シート１０は、第２幌シート３０に比べて遮光性に優れた素材、例えば厚手の布地で形成され、第１幌骨３と第２幌骨４との間に位置する前方領域１１と、第２幌骨４と第３幌骨５との間に位置する中間領域１２と、第３幌骨５を越えて後方に位置する後方領域１３とを含む。図１に示すように、第１幌シート１０は、その前方端の第１幌骨３に沿う位置、第２幌骨４に沿う位置、中間領域１２の中央の位置、第３幌骨５に沿う位置、後方領域１３の中央の位置、および後方端の位置にそれぞれ補強帯１４、１５、１６、１７、１８および１９を有している。
【００２３】
第２幌シート３０の前方端３４は第１幌シート１０から分離されているが、第２幌シート３０の後方端１９は第１幌シート１０の後方領域１３の中央に接続されている。
【００２４】
図１に示すように、第１幌シート１０は、第３幌骨５に沿う位置で幅方向のほぼ全長に延びる分離線を起点として前後に分離可能であり、かつ分離された前後の部分は前方および後方に折り返し可能に設けられている。図示した実施形態では、分離線にスライドファスナー２０が設けられている。スライドファスナー２０は、接離可能な対向するスライドレール２１と、スライダ２２とを備える。
【００２５】
次に図５〜図１０を参照して、幌１の種々の使用形態を説明する。
【００２６】
図５に示す状態では、第１幌骨３が幌１の最後端の位置にまで移動し、第１幌シート１０の前方領域１１および中間領域１２は、後方領域１３上に重なるように畳まれている。したがって、メッシュ地からなる第２幌シート３０のうち、前方領域３１および中間領域３２が外部に露出している。
【００２７】
図６に示す状態では、第１幌骨３は第３幌骨５に沿う位置にまで移動し、第１幌シート１０の前方領域１１が中間領域１２上に重なるように畳まれている。したがって、メッシュ地からなる第２幌シート３０のうち、前方領域３１のみが外部に露出している。
【００２８】
図７に示す状態では、第１幌シート１０に設けられているスライドファスナー２０が開いた状態にされており、分離線よりも前方に位置する中間領域１２の後半部分が前方に折り返されている。したがって、第１幌シート１０の中間領域１２の後半部分の下に位置していた第２幌シート３０の部分が露出するようになる。乳母車を移動操作する人は、露出したメッシュ地の第２幌シートの部分から座席内の乳幼児の様子を観察できる。
【００２９】
図８に示す状態では、第１幌シート１０に設けられているスライドファスナー２０が開いた状態にされており、分離線の前方に位置する中間領域１２の後半部分を前方に折り返し、さらに分離線の後方に位置する後方領域１３の前半部分を後方に折り返している。
【００３０】
図９に示す状態では、第１幌シート１０に設けられているスライドファスナー２０が開いた状態にされており、分離線の後方に位置する後方領域１３の前半部分を後方に折り返している。
【００３１】
図１０に示す状態では、第１幌骨３を幌１の最後端の位置にまで移動させ、さらに第１幌シート１０全体が後方領域１３の後半部分に重なって折畳まれるようにしている。この状態では、第２幌シート３０の全体が外部に露出している。
【００３２】
図示していないが、第１幌骨３および第２幌骨４は取付基部２に回動可能に連結されているので、幌全体の開き角度を適度に調節することができ、また幌全体を小さく畳むこともできる。
【００３３】
上記のように、幌１は必要に応じて種々の形態をとることができる。例えば、紫外線遮断効果、騒音遮断効果、防寒効果、防塵効果が必要な場合には、図１に示す形態とする。強い日差しを和らげ、十分な通気性を確保しようとする場合には、図１０に示す形態とする。乳母車を移動操作する母親等から座席内の乳幼児の様子を観察したい場合には、図７、図８または図９に示すような形態とする。乳幼児の視界を確保しようとする場合には、図５または図６に示すような形態とする。
【００３４】
なお、以上の説明では、育児器具の一例として乳母車を説明したが、この発明は、ベビーラック、ベビーベッド、育児椅子等にも適用可能である。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３６】
この発明は、幌を備えた育児器具に有利に適用され得る。
【図面の簡単な説明】
【００３７】
【図１】この発明の一実施形態を示す側面図である。
【図２】幌骨を示す図である。
【図３】内側に位置する第２幌シートの全体形状を示す側面図である。
【図４】この発明の一実施形態の断面図である。
【図５】幌の使用形態の一例を示す図である。
【図６】幌の使用形態の他の例を示す図である。
【図７】幌の使用形態のさらに他の例を示す図である。
【図８】幌の使用形態のさらに他の例を示す図である。
【図９】幌の使用形態のさらに他の例を示す図である。
【図１０】幌の使用形態のさらに他の例を示す図である。
【符号の説明】
【００３８】
１  幌、２  取付基部、３  第１幌骨、４  第２幌骨、５  背もたれ支持フレーム、１０  第１幌シート、１１  前方領域、１２  中間領域、１３  後方領域、１４，１５，１６，１７，１８，１９  補強帯、２０  スライドファスナー、２１  スライドレール、２２  スライダ、３０  第２幌シート、３１  前方領域、３２  中間領域、３３  後方領域、３４，３５，３６，３７  補強帯。
【図１】
2005329902.tif 000003
【図２】
2005329902.tif 000004
【図３】
2005329902.tif 000005
【図４】
2005329902.tif 000006
【図５】
2005329902.tif 000007
【図６】
2005329902.tif 000008
【図７】
2005329902.tif 000009
【図８】
2005329902.tif 000010
【図９】
2005329902.tif 000011
【図１０】
2005329902.tif 000012